(57)【要約】【課題】マザーボードをＵ字状に折曲げて両面型し、この両面に接続する拡張ボードを高さで区分けして配置し、さらに、この拡張ボードを接続するスロットに角度をつけてマザーボード取り付けることで、ボード部分のスペースが縮小され、これを搭載する分離式筐体の小型化が可能になる。また、上下二等分に分離した筐体は、両側面に円形の蓋を取付けて両方を固定する。【解決手段】断面Ｕ字状に折り曲げ加工して図３と図４の参考例のように拡張ボード接続用のスロット配置し、さらに、スロットをマザーボードに対して上下方向又は左右方向に向けて４５度の角度で取り付ける。そして、このマザーボードを逆Ｕ字の状態で筐体６に設けた仕切板６ｅに取付け、上部の筐体６を接合してマザーボードを固定する。また、上下二等分とした分離式筐体は、両側面を円形に開口し嵌合部５ａと６ａを設け、これに円形の蓋９を取り付けて固定する。さらに、色彩化する周辺機器に対応するために、フロントパネル７と８を複数色で構成した交換式とする。【選択図】　図６
2004119951.tif 000002
【特許請求の範囲】
【請求項１】
基本電子部品を接続するマザーボードを、断面Ｕ字状に折り曲げて両面型に小型化したＵ字型マザーボード。
【請求項２】
マザーボードの両面に配置する基本電子部品を、拡張ボードの高さと、直付チップの管理する部品で区分けした請求項１記載のＵ字型マザーボード。
【請求項３】
区分けした拡張ボードのスロットをマザーボード対して４５度以内の角度で取付けた請求項１又は２記載のＵ字型マザーボード。
【請求項４】
両面型に小型化した請求項１、２又は３記載のマザーボードを分離式筐体に搭載するための仕切板を、マザーボード部分筐体に設けたＵ字型マザーボード用コンパクト筐体。
【請求項５】
筐体を接合する左右の側面に円形の嵌合部を設け、これに別体で製作した円形蓋を被せて両筐体を固定する請求項３記載のＵ字型マザーボード用コンパクト筐体。
【請求項６】
上下筐体のフロントパネルを複数色で構成するために交換式とした請求項３又は４記載のＵ字型マザーボード用コンパクト筐体。
【発明の詳細な説明】
【０００１】
【発明の属する技術分野】
本発明は、マザーボードの形状及び分離式コンパクト筐体の構造に関するものである。
【０００２】
【従来の技術】
従来の両面型マザーボードにおいては、ボードを接続するスロットをマザーボードに直角に取り付ける方法としている。また、分離式筐体においても、搭載載するマザーボード及び筐体の仕組を全てビス留めとしている。
【０００３】
【特許文献１】実用開　昭６１−９７８９４号公報
【特許文献２】実用開　昭６３−９５２９５号公報
【特許文献３】実用開　平０１−８４４８６号公報
【特許文献４】実用公報　第３０８５０７４号
【０００４】
【発明が解決しようとする課題】
従来の両面型にあっては、接続するスロット又はコネクターをマザーボードに対して直角に取付ける方法としているため、マザーボードが二分の一程度に縮小されてもボードを接続するスペースが片面型マザーボードの２倍必要となる問題点があった。
また、分離式筐体の構造においても、重なり合うビス穴を確認しながらビス留めする従来の仕組は、手間が掛かるという問題点があった。
【０００５】
【課題を解決するための手段】
上記の問題点を解決するために、本発明は、マザーボードをＵ字状に曲げ加工して両面型とし、この両面に配置するスロットを、接続する拡張ボードの高さで区分けし、さらに、取付けるスロットに角度を付けることで拡張ボードが斜めに接続され、ボード部分のスペースが縮小される。
【０００６】
また、上記Ｕ字型マザーボードを搭載する上下分離式の筐体は、両側面の接合部分を中心にそれぞれ半円形に開口し、これに円形の蓋が取付けられる嵌合部を設け、さらに、マザーボードを搭載する仕切板を下部筐体に形成し、この仕切板にマザーボードを逆Ｕ字の状態で取付け、これに分離した上部筐体を接合し蓋を閉めて固定することで、マザーボードと筐体の仕組を容易にする。
【０００７】
【発明の実施の形態】
本発明は、マザーボードのベースであるプリント基板を断面Ｕ字状に折り曲げ加工し、さらに、基板の補強としてＵ字の内側にウレタンゴムを装着して逆Ｕ字を上方向の両面型とし、この片面にブリッジ機能のチップセットが管理するグラフィックボード、サウンドボード及びＬＡＮボール等、高さの高い拡張ボードを接続するスロットを配置し、さらに、スロットを上方向または左右方向に向けて４５度以内の角度で取付ける。これと反対側の面にはＣＰＵを接続するソケット及びメインメモリーを接続するスロットと、ハードディスクのインタフェース並びに周辺機器のインターフェース機能を集積しているチップセッの管理するコネクターを配置する。
【０００８】
上記区分けしたコネクターのうち、ドライブと電源ユニットのコネクターを逆Ｕ字の頂点に取り付けることも可能である。
【０００９】
前記Ｕ字型マザーボードを搭載する分離式筐体は、マザーボードの高さと、接続する部品のスペースに合わせた上下二等分のコンパクト型とし、上部は記憶装置と電源ユニット等を搭載し、下部にはマザーボードとマザーボードの付属部品を搭載する構成とする。マザーボードの取付け位置は、基本電子部品が両側面に支障なく納まるように左右の位置を設定し、この設定位置より筐体の前後方向に断面逆Ｔ字状で底部に衝撃緩和用のウレタンゴムを取付けた仕切板を設け、この仕切板にマザーボードを逆Ｕ字の状態で接続する。
【００１０】
上記分離式筐体の接続を容易にするため、両側面の分離部分を中心として、それぞれの筐体に半円形の開口部と、この開口部に円形の蓋を取付ける嵌合部を設け、さらに、取付けた蓋が固定できるように嵌合部には螺旋状のネジ山を加工する。
【００１１】
また、上記筐体を接続する円形の被せ蓋は、嵌合部同様に螺旋状のネジ山を設け、さらに、蓋が片手で開閉できるように、蓋の中心から半径４センチ内外の所に幅２センチ程度、深さ１センチ程度の円形溝を設ける。
【００１２】
筐体の正面でありドライブや各種ボタン等を接続するフロントパネルを、付属する周辺機器との色彩の調和や、筐体のアクセントとして複数色で構成する交換式とする。
【００１３】
上記理由から、フロントパネルを交換式とするため、筐体に取付け部を形成し、この取付け部に下記フロントパネルが容易に接続できるように、電源ドライブ筐体は上端に鉤受を設け、筐体の接合部分に差込み部を設ける。逆にマザーボード部分は下端に鍔受部を設け、接合部分に差込み部を設ける。
【００１４】
上記取付け部を形成した筐体に接続する交換式フロントパネルは、ＦＤドライブ、ＣＤ−ＲＯＭドラブ等の外部ベイの納る範囲で、正面を左右方向に曲面を付け、パネルの上下を断面コ字の形状とし、上記の取付け部に接続できるように、電源ドライブ部分は、このコ字の上端を鉤状にし、マザーボード部分は下端を鉤状にして、筐体の取付け部に鉤を引っかけ、接合部に向かって押しながら接合部分の溝に鍔を差し込んで筐体に接続する。
【００１５】
以上の方法で接続したマザーボード、筐体及びフロントパネルは、筐体の両側面に設けた円形の蓋を閉めることにより、一括で固定できる。
【００１６】
また、Ｕ字型マザーボードの取付け方法に付いては一体型筐体も含め、上記の他に両側面、フロント又は底部から差し込んで取り付ける方法もあるが、前記のように上部から差し込んで取付ける方法が効率よく効果的である。
【００１７】
【実施例】
以下添付図に従って説明する。
図１は逆Ｕ字状にしたマザーボードの図３のＡ−Ａ部分と図４５のＡ１−Ａ１部分の断面で、図２は図３のＢ−Ｂ部分と図４のＢ１−Ｂ１部分の断面、Ｕ字の内側にウレタンゴム１０を装着してマザーボードを補強する。Ｕ字の内法は図６又は図７断面図で示すマザーボード部分筐体に設けた仕切板６ｅに差し込める間隔として袋ネジ３で上下４カ所を固定する。
【００１８】
図３は、断面図の１面の符号１ａから１ｉまでを配置した参考例で、ＣＰＵソケット、ＤＩＭＭメモリー、ＳＩＭＭメモリー、電源コネクター、ＦＤＤコネター、シリアル／パラレルコネクター、ＵＳＢコネクター、ＰＳ２コネクター、Ｅ−ＩＤＥコネクターを取付け、インターフェース機能のチップセット等を組み込む。
【００１９】
図４は断面図の２面の符号２ａから２ｆまでを配置したの参考例で、この面取り付けるＰＣＩバススロット、ＡＧＰスロットはマザーボードの逆Ｕ字の方向に４５度以内の角度で取付け、その他にＢＩＯＳ　ＲＯＭ、電池及びスロットのブリッジ機能チップセット等を組み込む。
【００２０】
図５の符号４は電源ドライブ部分筐体５とのマザーボード部分筐体６の分離又は接合位置で、左右の側面に円形蓋９を被せて内部のマザーボードを含めて両筐体とフロントパネル７と８を接続固定する。
【００２１】
図６の分解図で示す両側面の半円形の開口寸法は、内部の部品の仕組が可能な範囲とし、これに嵌合部５ａと６ａに設け、円形蓋９が固定できるように螺旋状のネジ山を設ける。
【００２２】
筐体とは別体で製作した円形蓋９は、片手容易に開閉できるように蓋の中央から半径４センチ内外の所に幅２センチ程度、深さ１センチ程度の円形溝９ａを設ける。
【００２３】
上記蓋同様に別体で製作した電源ドライブ部分フロントパネル７とマザーボード部分フロントパネル８は複数色で構成した交換式とし、両パネルに設けた鉤状部分７ａと８ａを、それぞれの筐体の鉤受部５ｃと６ｃに引っかけ、パネルを接合部分に押しながら鍔７ｂと８ｂを筐体の差し込み部７ｄと８ｄに差込んで接続し、両筐体を接合し蓋を閉めて固定する。
【００２４】
符号６ｄは、マザーボードを逆Ｕ字状にして差し込む付仕切板で、マザーボードに接続する基本部品が左右の側面に支障なく納まる位置から、前後に断面逆Ｔ字状に設け［底部に衝撃緩和のスポンジゴム６ｅを取り付ける。仕切板の板厚は使用する部材の強度を考慮した厚さとし、縦の寸法はマザーボードを差し込んで上部に１センチ程度の隙間が出来る高さ、幅は袋ネジ３の内側両方に５ミリ内外の隙間ができる寸法とする。
【００２５】
仕切板６ｄに逆Ｕ字の状態で取り付けたマザーボードは、図７と図８の詳細図で示す電源ドライブ部分筐体７の前後に設けた逆Ｌ字状の押え部材５ｄで挟み込んで固定する。
【００２６】
【発明の効果】
本発明は、以上説明したような形態で実施され、以下に記載されるような効果を奏する。
【００２７】
マザーボードをＵ字状に折り曲げ加工して両面型とし、両面に配置する拡張ボードを高さで区分け、さらに、この拡張ボードを接続するスロットを上方向又は左右方向に向けて４５度以内の角度をつけて設置することにより、ボードが傾斜して接続され、筐体の幅を縮小することができる。また、マザーボードを折り曲げてＵ字型とすることで、筐体への接続が容易にできる。
【００２８】
マザーボードを上記の形状とすることにより、分離式筐体を上下だけでなく幅をコンパクトすることが可能となり、さらに、筐体の両側面の接合部分を中心として半円形に開口して嵌合部を設け、これに円形の蓋を被せて筐体を接続することによって、筐体及びマザーボード並びに下記のフロントパネルを一括して固定する効果がある。
【００２９】
さらに、フロントパネルを複数色で構成して交換式とすることによって、色彩化する周辺機器との色の調和や筐体のアクセントして色彩の面でも利点を有する。
【図面の簡単な説明】
【図１】両面型マザーボードの図３のＡ−Ａ部分と図４のＡ１−Ａ１部分の断面図
【図２】両面型マザーボードの図３のＢ−Ｂ部分と図４のＢ１−Ｂ１部分の断面図
【図３】マザーボード断面図の符号１の平面図
【図４】マザーボード断面図の符号２の平面図
【図５】筐体の斜面図
【図６】筐体の分解図
【図７】筐体の斜面図Ｃ−Ｃ部分断面図
【図８】７図の５ｄ部分のマザーボード２面側から側面詳細図図
【図９】筐体の斜面図Ｄ−Ｄ部分断面図
【符号の説明】
１　　マザーボードの図２面
１ａ　　ＤＩＭＭコネクター
１ｂ　　Ｅ−ＩＤＥコネクター
１ｃ　　ＦＤＤコネクター
１ｄ　　シリアル／パラレルコネクター
１ｅ　　ＵＳＢコネクター
１ｆ　　ＰＳ／２コネクター
１ｇ　　ＳＩＭＭメモリースロット
１ｈ　　チップセット
１ｉ　　ＣＰＵソケット
２　　マザーボードの図３面
２ａ　　ＩＳＡバススロット
２ｂ　　電源コネクター
２ｃ　　チップセット
２ｄ　　ＡＧＰスロット
２ｅ　　ＰＣＩバススロット
２ｆ　　ＢＩＯＳ　ＲＯＭ
３　　Ｕ字部分を固定する袋ネジ
４　　筐体の分離位置
５　　電源ドライブ部分筐体
５ａ　　嵌合部
５ｂ　　鉤受部
５ｃ　　差込部
５ｄ　　マザーボード固定用部材
６　　マザーボード部分筐体
６ｂ　　鉤受部
６ｃ　　差込部
６ｄ　　仕切板
６ｅ　　衝撃緩和用スポンジゴム
７　　電源ドライブ部分フロントパネル
７ａ　　鉤状部分
７ｂ　　鍔状部分
８　　マザーボード部分フロントパネル
８ａ　　鉤状部
８ｂ　　鍔状部
９　　筐体を接続固定する円形蓋
９ａ　　円形溝
１０　補強ウレタン装着
【図１】
2004119951.tif 000003
【図２】
2004119951.tif 000004
【図３】
2004119951.tif 000005
【図４】
2004119951.tif 000006
【図５】
2004119951.tif 000007
【図６】
2004119951.tif 000008
【図７】
2004119951.tif 000009
【図８】
2004119951.tif 000010
【図９】
2004119951.tif 000011